(57)【要約】【課題】より体液の固定性が高められ、装着者により高いドライ感を提供できる吸収性物品を提供すること。ムレ感も軽減される吸収性物品を提供すること。【解決手段】本発明の一実施形態である生理用ナプキン１は、肌当接面に液透過性の表面層２、非肌当接面側に防漏層４、及び表面層２と防漏層４の間に液吸収層３を有する。液吸収層３は、肌当接側面を含んで平面方向に連続する連続層６と、これと連続一体となって非肌当接面側に突出する複数の小吸収部８とを備えている。小吸収部８各々は小吸収部８よりも坪量が低い離間部７で離間している。離間部７は液吸収層３の肌当接面を貫通していない。小吸収部８には非肌当接面側から肌当接面側に向かって窪む圧搾部１０が設けられている。【選択図】図３
2014110887.tif 000002
【特許請求の範囲】
【請求項１】
肌当接面に液透過性の表面層、非肌当接面側に防漏層、及び該表面層と該防漏層の間に液吸収層を有する吸収性物品であって、
前記液吸収層は、肌当接側面を含んで平面方向に連続する連続層と、これと連続一体となって非肌当接面側に突出する複数の小吸収部とを備えており、
前記小吸収部各々は小吸収部よりも坪量が低い離間部で離間しており、
前記離間部は前記液吸収層の肌当接面を貫通しておらず、
前記小吸収部には非肌当接面側から肌当接面側に向かって窪む圧搾部が設けられている吸収性物品。
【請求項２】
前記小吸収部では、前記離間部よりも密度が高い請求項１に記載の吸収性物品。
【請求項３】
前記吸収性物品は縦長形状であり、前記離間部は溝と凹部吸収部とからなっており、該溝として物品長手方向に沿って前記吸収層を縦断して延在する長手方向溝を備える、請求項１又は２に記載の吸収性品。
【請求項４】
前記溝として、前記長手方向と直交する方向である幅方向に沿って前記吸収層を横断して延在する幅方向溝も備えるとともに、該幅方向溝は前記長手方向溝と交差している請求項１〜３のいずれか１項に記載の吸収性物品。
【請求項５】
前記圧搾部の肌当接面側端部は、前記連続層の非肌当接面よりも非肌当接面側に位置する請求項１〜４のいずれか１項に記載の吸収性物品。
【請求項６】
前記表面層が、肌当接面側に第１層を有し、これに隣接する第２層を非肌当接面側に有し、前記第１層と前記第２層とが多数の接合部によって接合されており、多数の該接合部に囲まれて該第１層の肌当接面側に隆起する凸部が、該第１層側の肌当接面側に多数形成されており、前記凸部において、前記第２層は前記第１層の肌当接面側へ向けて隆起して該第１層内に入り込んでおり、前記凸部において、前記第２層の非肌当接面側の面が平坦であることを特徴とする請求項１〜５のいずれか１項に記載の吸収性物品。
【発明の詳細な説明】
【技術分野】
【０００１】
本発明は、生理用品、失禁用製品や使い捨ておむつ等の吸収性物品に関する。
【背景技術】
【０００２】
生理用ナプキン等の吸収性物品においては、各部材の材料や構造を改良し、その機能や着用感の向上が図られてきた。吸収体についても、かかる改良を企図して開発がなされ、特に最近では使用状況や吸収性物品の種類に応じた機能性のものが種々提案されている。
【０００３】
特許文献１には、複数の吸収部が互いに離間して、基盤シートに固定部を介して接合され、該固定部は平面視において前記吸収部の領域に包含されており、前記複数の吸収部は互いに液体連通化し得る状態に配列された吸収体を有する生理用ナプキンが記載されている。また特許文献２には、複数の吸収部が互いに離間して、基盤シートに固定部を介して接合され、該固定部は平面視において前記吸収部の領域に包含されており、かつ前記吸収部の間に吸収性素材を配設し、前記吸収部の間に配設された吸収性素材の坪量は、該吸収部よりも低い坪量である吸収体を有する生理用ナプキンが記載されている。特許文献１、２のいずれにおいても、吸収体の全体が柔軟に変形して着用者の複雑に起伏する肌面に隙間なく適合する「人体適合性」が極めて高く、着用者の動作による変形にも良好に追随する「動作追随性」も極めて良好である吸収体において、その変形時の液体等の吸収保持性を向上させることができるとされる。
【先行技術文献】
【特許文献】
【０００４】
【特許文献１】特開２０１０−２６８９１９号公報
【特許文献２】特開２０１０−２７３８１０号公報
【発明の開示】
【発明が解決しようとする課題】
【０００５】
特許文献１及び特許文献２記載の吸収性物品では、複数の吸収部が互いに離間して、連続層としての基盤シートに固定することで、それぞれ離間された吸収部と吸収部の間を液が素早く連通し拡散し易くなることにつながり得る。他方で、液との接触とは別に、吸収体内へ取り込まれた体液は肌側へと蒸発することがある。特に、長時間装着等で吸収体の液保持量が飽和状態になると、肌側の空間への蒸発が生じ易くなる。その蒸発の程度によっては、肌側の湿度が上昇して肌への負担となり兼ねない。
【０００６】
上記の点に鑑み、本発明は、肌側をムレにくくし、肌への負担等を低減できる吸収性物品の提供を課題とする。
【課題を解決するための手段】
【０００７】
本発明は、肌当接面に液透過性の表面層、非肌当接面側に防漏層、及び該表面層と該防漏層の間に液吸収層を有する吸収性物品であって、前記液吸収層は、肌当接側面を含んで平面方向に連続する連続層と、これと連続一体となって非肌当接面側に突出する複数の小吸収部とを備えており、前記小吸収部各々は小吸収部よりも坪量が低い離間部で離間しており、前記離間部は前記液吸収層の肌当接面を貫通しておらず、前記小吸収部には非肌当接面側から肌当接面側に向かって窪む圧搾部が設けられている吸収性物品を提供するものである。
【発明の効果】
【０００８】
本発明の吸収性物品は、離間部によって区分された小吸収部を設けるとともに、小吸収部に設けられた非肌面側に圧搾による、周囲よりも密度が高い領域を設けることで、より体液の固定性が高められ、装着者により高いドライ感を提供できる。更に、体液等に由来する吸収性物品内の湿気が離間部の溝を通って放湿され、ムレ感も軽減される効果を奏する。
【図面の簡単な説明】
【０００９】
【図１】本発明における吸収性物品の好ましい一実施形態としての生理用ナプキンを肌当接面方向から示した一部切欠斜視図である。
【図２】本実施形態に係る吸収体の構造を模式的に示した図であり、（Ａ）はナプキンに配設される際に肌当接面側となる面から示した斜視図であり、（Ｂ）は幅方向の断面図であり、（Ｃ）はその底面側から見た斜視図（ナプキンに配設される際に非肌当接面から示した図）である。
【図３】図１におけるＩ−Ｉ線断面図である。
【図４】本発明の吸収体における水分の吸湿、蒸散挙動を模式的に示す説明図である。
【図５】本発明における吸収体の溝の変形例について、吸収体の非肌当接面側から示した平面図である。
【発明を実施するための形態】
【００１０】
本発明に係る吸収性物品の好ましい実施形態について、図面を参照して説明する。図１は、本発明における吸収性物品の好ましい一実施形態としての生理用ナプキン（以下、「ナプキン」とも言う）１を肌当接面方向から示した一部切欠斜視図である。
本実施形態のナプキン１は、図１に示すような縦長の形状をしており、肌当接面側に配置される液透過性シートの表面層２、非肌当接面側に配置される液難透過性の防漏層４、及び該両シートの間に配置され、体液を吸収保持する液吸収層３を備えている。表面層２及び防漏層４は、液吸収層３の長手方向前後及び幅方向左右からそれぞれ外方へ延在し、重なり部分において接合されて一体化されている。また、左右方向外方部においては防漏層４が表面層２よりも長く、防漏層４の肌当接面側は撥水性のサイドシート５によって覆われている。本実施形態においては、サイドシート５の幅方向内側が表面層２と重なっているとともに、液吸収層３の左右両側部においても重なっている。この構成によって、ナプキン１の幅方向中央寄りの領域は液体透過性であるが、幅方向左右外側領域では撥水性となって、液吸収層３内に吸収された体液が幅方向左右に拡散された際にも、体液の滲み出しを抑制することができる。
【００１１】
なお、本明細書においては、着用者の肌と接触する面を肌当接面、これと反対側の面を非肌当接面と言い、相対的に肌当接面に近い方を肌当接面側、遠い方を非肌当接面側と言う。また、長手方向における両端部方向を前後方向、幅方向における両端部方向を左右方向とも言う。
【００１２】
本実施形態における液吸収層３は、ほぼ矩形をなしており、図１に示すように、その長手方向をナプキンの長手方向（Ｙ方向）に一致させ、ナプキン１の幅方向（Ｘ方向）の中央寄りに位置するよう、防漏層の肌当接面側に接着剤等で接合され配設されている。また、液吸収層３は、図２（Ａ）〜図２（Ｃ）に示すように、吸収コア３１がコアラップシート３２によって肌当接面側と非肌当接面側とが覆われた構造である。
【００１３】
本実施形態の液吸収層３は、肌当接側面を含んで平面方向に連続する連続層６と、これと連続一体となって非肌当接面側に突出する複数の小吸収部８とを備えている。具体的には、液吸収層３は、肌当接面を含んで平面方向に連続する連続層６と、非肌当接面側に、溝７１を備えた離間部７によって区分された複数の小吸収部８，８・・・とが配置されて構成された吸収コア３１を備えている。離間部７は、溝７１とその肌当接面側に位置する凹部吸収部７２とからなる。このため、液吸収層３の肌当接面側は平坦な連続層６となっており（図２（Ａ）及び（Ｂ））、その非肌当接面側が溝７１と小吸収部８によって凹凸形状となっている（図２（Ｂ）及び（Ｃ）参照）。連続層６と小吸収部８とは、両者が物理的に連続した一体構造のものであり、別個の層を接合手段によって一体化したものとは異なる。
【００１４】
溝７１についてより具体的に説明すると、溝７１は、吸収コア３１の非肌当接面側から肌当接面側に向かって窪んだ凹部となっている。つまりこの部分は、吸収コア３１の構成材料が配されない空間部分となっている。空間部分である溝７１によって区画された吸収コア３１の部分は、相対的に非肌当接面側に突出し、複数が独立して整列配置された、突出吸収部８１とも言うべき構造となっている。また、液吸収層３を厚み方向に見て、溝７１の肌当接面側の上部は吸収コア３１の一部として凹部吸収部７２となっている。凹部吸収部７２は、溝７１の空間の分だけ小吸収部８よりも厚みが薄く、肌当接面側へと偏在している。このため、離間部７１は隣接する小吸収部８よりも坪量が小さくなっている。また、小吸収部８は突出吸収部８１とこれと厚み方向に連続する連続層６の部分を含む構成となっている。したがって、凹部吸収部７２と小吸収部８とは、液吸収層３の肌当接面側で連続層６となって平坦面を形成する（図２（Ａ）参照）。
【００１５】
ナプキン１では、溝７１が、ナプキン１の長手方向（Ｙ方向）とこれに直交する幅方向（Ｘ方向）それぞれに連続的に延びていて、これらによって四方を囲まれたブロック状の吸収コア部分である小吸収部８が連続層６と一体となって、非肌当接面側に向かって凸の複数の小吸収部８，８・・・が、所謂格子状に配置された吸収コアとなって構成されている。長手方向溝７１ａ及び幅方向溝７１ｂは、平面視した際の吸収コア３１が存在する領域の前後端及び左右両端に達して配設されている。なお、ナプキン１では、溝７１は長手方向に沿って液吸収層３を縦断して延在している。
【００１６】
なお本発明において、「連続」ないし「連続的」とは、本実施形態のように溝が直線的に連なる形状に限定されるものではなく、溝がなす空隙が途切れない種々の形態を含む。例えば、千鳥状や亀甲状等の配置形態でも良く、溝の連なりの途中で幅が変化する形態であっても良く、また途中に調整弁のような小空間が配設される形態であっても良い。
【００１７】
ナプキン１では、液吸収層３が溝７１によって区画され、小吸収部８が動き易くなる。これにより外力に対する可撓性を有する。これを配置した生理用ナプキンは、肌面の起伏にフィットする「身体適合性」、及び着用者の動きにも良好に追随して肌との部分的な隙間を生じ難くできる「動作追随性」が極めて高くなる。
【００１８】
吸収コア３１において、溝７１や小吸収部８の大きさ、形状等は吸収性物品の大きさや使用目的に応じて異なるため一義的に定められない。生理用品や軽失禁パッドの場合、小吸収部８の大きさに関しては、０．２５ｃｍ2以上、特に０．５ｃｍ2であることが好ましく、２５ｃｍ2以下、特に２０ｃｍ2以下であることが好ましい。具体的には、０．２５ｃｍ2以上２５ｃｍ2以下が好ましく、特に０．５ｃｍ2以上２０ｃｍ2以下であることが好ましい。下限値以上であると、確実に圧搾により加圧できること、小吸収部内に適切な粗密勾配を設けることができるという観点から好ましく、上限値以下であると、効率よく湿気を排出するための必要な数の溝を確保することが容易になるという観点から好ましい。なお、ここで大きさとは平面視での面積（圧搾部１０による開口部がないものした場合の非肌側面の面積）のことである。
【００１９】
溝７１の大きさに関しては、長手方向溝７１ａの幅（ｒ）は、０．２ｍｍ以上、特に０．５ｍｍ以上が好ましく、５ｍｍ以下、特に３ｍｍ以下が好ましい。前記下限値以上とすることで肌とナプキンの間に滞留した湿気を外気に逃がし易くなり、上限値以下とすることで溝を経血が一気に流れることによる漏れの発生を防止することができる。また、幅方向溝７１ｂの幅（ｓ）は、０．２５ｍｍ以上、特に０．５ｍｍ以上が好ましく、５ｍｍ以下、特に３ｍｍ以下が好ましい（図２参照）。前記下限値以上とすることで肌とナプキンの間に滞留した湿気を外気に逃がし易くなり、前記上限値以下とすることで溝７１を経血が一気に流れることによる漏れの発生を防止することができる。なお、上記の好ましい幅は、溝７１の非肌当接面側の端における幅が上記範囲であれば良いが、溝７１の幅方向全域に亘って上記範囲であることが更に好ましい。
【００２０】
また溝７１の深さ（すなわち、溝７１の非肌当接面側の端から底部である肌当接面側の端までの距離）の吸収コア３１全体の厚みに対する割合は、２０％以上、特に３０％以上が好ましく、８０％以下、特に７０％以下が好ましい（図２（Ｂ）参照）。前記下限値以上とすることで肌とナプキンの間に滞留した湿気を外気に逃がし易くなり、前記上限値以下とすることで凹部吸収部７２によって隣接する小吸収部同士が繋ぎ合わされ、吸収コア３１が着用者の動作により破断することを防止することができる。また、溝を経血が一気に流れることによる漏れの発生を防止することができる。なお、多層タイプの液吸収層など、一部が他の部分よりも厚みが大きい部分を有する液吸収層の場合には、厚みの大きい部分に溝が設けられていれば、当該部分の厚みに対する溝の深さが上記範囲であれば良い。一方、厚みの小さい部分に溝が設けられていれば、当該部分の厚みに対する溝の深さが上記範囲であれば良い。
【００２１】
本発明のナプキン１においては、液吸収層３に、小吸収部８の非肌当接面側から肌当接面側に向かう圧搾部１０が設けられている。圧搾部１０は、着用者の排泄部に対向する領域（以下、排泄部対向領域と言う。）における小吸収部８に設けられていれば良いが、好ましくは各小吸収部８に少なくとも１つ設けられている。本実施形態のナプキン１では各小吸収部８に複数の圧搾部１０が設けられている。本実施形態では、各ブロック状の小吸収部８内に納まるように、各圧搾部が設けられている。図２（Ｂ）には、密度が高い領域を濃く、低い領域を薄く、模式的に示している。ナプキン１では、圧搾部１０によって、小吸収部８内には、圧搾部１０の周囲部にはその外側よりも密度が高い高密度領域が設けられている。すなわち、小吸収部８内には、相対的に密度が高い高密度部と密度が低い低密度部が存在する。図２（Ｂ）の形態においては、圧搾部１０周囲及び圧搾部１０から厚み方向に関して肌当接面側の領域に高密度部が存在する。この密度勾配によって、液吸収層３に吸収された体液は高密度部へと導かれ易くなる。高密度部の周囲には圧搾部１０による空隙１１が存在している。このため、高密度部に集中的に集まった体液の一部が空隙１１から蒸気となって外部へ放出され易くなっている。加えて、小吸収８を区画している溝７１と高密度部とが、圧搾部１０の存在によって近接する構造となっていることから、体液の一部が蒸気となって溝７１へと導かれ易い構造となっている。このために、ナプキン１内の蒸気は一箇所に留まりにくく、しかも、非肌当接面側に集中し易い構造となっているので、着用者とナプキン１との間に蒸気が残り難く、ムレ感を感じにくくなる。加えて、本発明の液吸収層３は小吸収部８と肌当接側面を構成する連続層６が連続一体的に構成されているので、体液が吸収体に接触してから吸収、拡散する行程がスムーズに行われ、上記効果を得られ易い。
【００２２】
また、本発明のナプキンと、従来の平坦な吸収体との非肌当接面側の表面積の違いによる水分の吸湿・蒸散の挙動を図４に示した。平坦な吸収体では、吸収された体液の水分は外界と接する平坦な面を通してのみ放出され得るのに対し、本発明品では、非肌当接面側の表面積が大きく水分の吸湿、蒸散を促し、肌側への蒸散を防ぐのに有効である。特に、ナプキン１では、吸収コア３１とコアラップ３２に一体的な圧搾部１０を設けるため、コアラップ３２の密度を吸収コア３１より高くすることにより液が通過し易くなる。ただし、コアラップ３２を含まない吸収コア３１のみに圧搾を設けてもムレ感の抑制は得られる。また、本実施形態のナプキン１の液吸収層３の構造に代えて、コアラップ３２を含まない液吸収層３としても良い。
【００２３】
ナプキン１においては、溝７１によって、液吸収層３の内部に空気との接触する構造（長手方向中空路及び幅方向中空路）が備わる。より具体的には、溝７１の底部は表面層に近い位置で空気と接触でき、排泄初期などの液が少量の場合でも、積極的に水分を内部蒸発（以下、内部放湿又は単に放湿とも言う。）させることができる。加えて、溝７１の側壁部が、表面層に近い位置から防漏層の位置まで厚み方向に形成されていることで広く空気と接触でき、液保持量の少ないときには側壁部の肌当接面側に近い位置から内部蒸発させ、液保持量の増加に合わせて、側壁部で内部蒸発させることが可能となる。したがって、この長手方向中空路及び幅方向中空路は、排泄量の多寡に係わらず、水分の内部蒸発を可能とする。
【００２４】
加えて、ナプキン１では、図２（Ｂ）及び図４に示すように、小吸収部８に配された圧搾部１０により液吸収層３内に有効な密度差が設けられ、吸収した体液をナプキン１の非肌当接面側に素早く導いて、肌に近い側から体液を遠ざけることができるとともに、湿気の内部放湿と内部循環構造により、肌側への放湿を抑えて、肌との間の湿度低減を効果的に実現することができる。排泄液の多寡に係わらず、着用者に高いドライ感を与えてムレ感を与え難く、肌荒れ等を効果的に低減することができる。しかも、溝７１が長手方向と幅方向に交差しながら延びる構造によって、より内部循環が効率的に行われると、ムレ感抑制には有効である。また、小吸収部８の密度が離間部７の密度よりも高くなっている。それによって、体液が液吸収層３の肌当接面側から侵入した際に離間部７から小吸収部８側へ移行、拡散し易くなるので、体液が表面に溜まり難く、着用者にドライ感を与え易くなっている。
【００２５】
圧搾部１０の、非肌側面の平面形状は、円形、楕円形、正方形、長方形、三角形など種々の形状を採用することが可能である。本実施形態においては、円形のピンエンボスを採用している。圧搾部の表面積、すなわち、液吸収層３の非肌当接側の面における開口部面積は、小吸収部８の非肌側面の平面積（圧搾部１０による開口部がないものした場合の非肌側面の面積）に対して、１％以上、特に３％以上、更に１０％以上であることが好ましく、７０％以下、特に６０％以下、更に５０％以下であることが好ましい。具体的には、１％以上７０％以下、特に３％以上６０％以下、更に１０％以上５０％以下が好ましい。下限値以上であると、十分な導液性が得られ易いとともに、蒸気放出によるムレ感抑制が得られ易くなる。また、上限値以下であると、十分な液保持量を確保しつつ、吸収体が適度な柔らかさを保ち、着用者に違和感を与え難くなる。
【００２６】
ナプキン１においては、上述したように、各小吸収部８に複数の圧搾部１０（図２（Ｃ）においては２個の圧搾部１０）を設けているが、各小吸収部８に１つずつ圧搾部１０を設けても良い。また、いずれの場合においても、圧搾部１０は液吸収層３全体に設けても良いが、液吸収層３の排泄対向部、又は排泄対向部とその近傍に設けてれば良い。こうすることによって、液吸収層３の排泄対向部での剛性が高まって、溝との剛性差が顕著となり、着用者の肌へのフィット性が高まり、好適な着用感が得られ易くなるとともに、液漏れの抑制にも有効である。
【００２７】
ナプキン１においては、圧搾部１０の肌側面端部、すなわち、圧搾部１０の底部は、前記連続層６の非肌当接面よりも非肌当接面側に位置している。言い換えると、圧搾部１０の肌当接面側端部である底部が、溝７１の肌当接面側端部である底部よりも非肌当接面側に位置している。したがって、図２（Ｂ）に示すように、小吸収部８では、いずれの位置においても溝７１の底部よりも非肌当接面側まで吸収材料が存在していることとなる。このために、吸収コア３１の液吸収性能を厚み方向に関して有効に使うことができるとともに、液吸収層３の柔軟性を確保することができる。したがって、溝７１の上から吸収された体液を、相対的に密度が高い圧搾部１０の周囲部へと導いたとき、該密度の高い周囲部の体積が大きいので、効率的に体液を保持することができる。また、その際に、着用者の動作によって溝７１を可撓軸として液吸収層３が変形した際に、小吸収部８が柔軟なので、小吸収部８に過度の力が加わっても吸収コア３１が壊れたりすることや、吸収した液が絞りだされたりすることを抑制することができる。
圧搾部１０の厚み方向長さ（深さ）は、液吸収層３の全厚みの２０％以上、更に３０％以上であることが好ましく、また、８０％以下、更に７５％以下であることが好ましい。この数値範囲であると、吸収コア３１の柔軟性と小吸収部８内で低密度部と高密度部との間に液が移行容易な密度勾配を設け易い観点から好ましい。
また、吸収性コア３１において、圧搾部１０の底部の位置が、溝７１の底部の位置よりも、吸収性コア３１の全厚みの１０％以上の距離だけ非肌当接面側に位置していることが、密度の高い、圧搾部８の周囲領域への体液の迅速な拡散と、その後の液保持性能の両立の観点から好ましい。
【００２８】
本発明において、溝７１の幅や深さ等は、本実施形態のものに限定されず、前記と同様の作用を奏する溝として任意に変更できる。例えば、図５に示すような形態とすることも好ましい。図５は、本発明における液吸収層３の溝の変形例について、吸収体の非肌当接面側から示した平面図である。図５に示すように、液吸収層の中央から長手方向の前後方向それぞれに向かって溝幅が広がるようにされていても良い。これにより、湿った空気の外部排出をより効果的にすることができ、更に湿度低減を促すことができるので好ましい。
【００２９】
更に本発明において、液吸収層３の構造は、本実施形態の１層に限定されず、前記作用を奏する限り、２層以上にしても良い。また、液吸収層３は、排泄部対向領域の厚みを他の領域よりも厚くする、所謂中高構造としても良い。
【００３０】
吸収コア３１の構成材料としては、特に制限はないが繊維材料、多孔質体、それらの組み合わせなどを用いることができる。繊維素材としては例えば、木材パルプ、コットン、麻などの天然繊維、ポリエチレンやポリプロピレンなどのポリオレフィン系樹脂、ポリエチレンテレフタレート等のポリエステル系樹脂、ポリビニルアルコール樹脂等の合成樹脂からなる単繊維、これらの樹脂を２種以上含む複合繊維、アセテートやレーヨンなどの半合成繊維を用いることができる。合成繊維からなる繊維を用いる場合、該繊維は熱によって形状が変化する熱収縮繊維であっても良い。例えば、熱によって繊度は大きくなるが繊維長が短くなるものや、繊度はほとんど変化しないが、形状がコイル状に変化することでみかけの繊維の占有する長さが短くなるものであっても良い。多孔質体としては、スポンジ、不織布、高吸水性ポリマーの凝集物（高吸水性ポリマーと繊維とが凝集したもの）などを用いることができる。また、コアラップシート３２の材料としては、パルプ製シートや不織布製シート等を使用することができる。
【００３１】
表面層２としては、各種不織布（例えば、エアスルー不織布やスパンボンド不織布など）を単独、又は複数の重ね合わせた構成や、不織布とフィルムとのラミネートからなり多数の開孔が形成されている複合シート等が用いられる。また表面層は、前記の突起のある上層及び下層とからなるものや、起伏のある上層と平坦な下層との層からなるものであっても良い。この場合、表面層に繊維の密度勾配ができ、表面層１上の液を素早く液吸収層側へ透過させることができるので好ましい。上層及び下層の部材として、カード法によって形成されたウェブや嵩高な不織布などの繊維同士が極めて緩く絡んでいる状態の繊維集合体を用いることができ、下層の部材としてカード法によって形成されたウェブや熱収縮性を有する不織布を用いることができる。好ましい形態としては、図３に示すように、より液の引き込み性が高く、表層部位に液残りが起こりづらく、また液戻りが起こりにくくするために、肌当接面側に、芯鞘型の熱融着性複合繊維を含み、該熱融着性複合繊維は、熱伸長性繊維が熱処理によって伸長したものからなり、非肌当接面側に、捲縮性繊維を含む繊維層を含み、これらが多数の接合部によって接合されている表面層が好ましいと思われる。具体的には、表面層２として、肌当接面側に第１層を有し、これに隣接する第２層を非肌当接面側に有し、第１層と第２層とが多数の接合部によって接合されており、多数の該接合部に囲まれて該第１層の肌当接面側に隆起する凸部が、該第１層側の肌当接面側に多数形成されており、凸部において、第２層は第１層の肌当接面側へ向けて隆起して該第１層内に入り込んでおり、凸部において、第２層の非肌当接面側の面が平坦である層を用いることができる。
【００３２】
防漏層４は、透湿性フィルム単独、又はフィルムに不織布を貼り合わせたもの、撥水性の不織布（ＳＭＳやＳＭＭＳ等）を用いることができる。コスト面やズレ止め粘着剤とのマッチングなどから、透湿フィルム単独を防漏材として用いることが最も好ましい。この場合のフィルム材としては、熱可塑性樹脂と、これと相溶性のない無機フィラーを溶融混練して押し出したフィルムを所定の寸法に延伸して微細孔をあけたフィルム、又は、本質的に水分の相溶性が高く、浸透膜のように水蒸気排出可能な無孔性のフィルムが挙げられる。本発明に関わる湿度排出の性能を十分に発現し、かつ、水分のにじみ出しがない防漏層を具現化するには、透湿度は、０．７〜３．０ｇ／１００（ｃｍ2ｈｒ）の範囲にあることが好ましく、１．０〜２．５ｇ／１００（ｃｍ2ｈｒ）の範囲にあることが更に好ましい。さらっと感を十分に高める観点からは１．５〜２．５ｇ／１００（ｃｍ2ｈｒ）の範囲にあることが最も好ましい。また、フィルムの破れ等のトラブルなく使用可能であるためには、フィルム坪量は１８〜７０ｇ／ｍ2、より好ましくは２５〜６０ｇ／ｍ2である。また好ましい無機フィラー配合量は、フィルム全体の質量に対するフィラーの質量％として３０〜６５質量％、より好ましくは４０〜６０質量％である。
【００３３】
本発明の吸収性物品は、上記の実施形態の生理用ナプキンに制限されるものではなく、例えば使い捨ておむつや尿とりパッド、失禁パッド、失禁ライナ等に適応することができる。また、経血に限らずその他、尿、おりもの、軟便等に対しても効果的である。また、表面層、液吸収層、防漏層及びサイドシートの他にも用途や機能に合わせ適宜部材を組み込んでも良い。なお、上記実施形態の生理用ナプキンの表面層、液吸収層及び防漏層の材料、製法における条件や、製品の寸法等は特に限定されず、通常の生理用ナプキン等において用いられている各種材料を用いることができる。
【００３４】
上述した実施形態に関し、本発明は更に以下の吸収性物品を開示する。
＜１＞肌当接面に液透過性の表面層、非肌当接面側に防漏層、及び該表面層と該防漏層の間に液吸収層を有する吸収性物品であって、前記液吸収層は、肌当接側面を含んで平面方向に連続する連続層と、これと連続一体となって非肌当接面側に突出する複数の小吸収部とを備えており、前記小吸収部各々は小吸収部よりも坪量が低い離間部で離間しており、前記離間部は前記液吸収層の肌当接面を貫通しておらず、前記小吸収部には非肌当接面側から肌当接面側に向かって窪む圧搾部が設けられている吸収性物品。
【００３５】
＜２＞前記小吸収部では、前記離間部よりも密度が高い前記＜１＞記載の吸収性物品。
＜３＞前記吸収性物品は着用者の前後方向に対応する方向に縦長の形状であり、前記離間部は溝と凹部吸収部とからなっており、前記溝として、物品長手方向に沿って前記液吸収層を前後端に亘り縦断する長手方向溝を備える、前記＜１＞又は＜２＞記載の吸収性物品。
＜４＞前記長手方向溝の幅が０．２ｍｍ以上５ｍｍ以下である前記＜３＞記載の吸収性物品。
＜５＞前記溝として、前記長手方向と直交する方向である幅方向に沿って前記吸収層を横断して延在する幅方向溝も備えるとともに、該幅方向溝は前記長手方向溝と交差している前記＜３＞又は＜４＞に記載の吸収性物品。
【００３６】
＜６＞前記幅方向溝の幅が０．２５ｍｍ以上５ｍｍ以下である前記＜５＞記載の吸収性物品。
＜７＞前記圧搾部の肌当接面側端部が、前記溝の肌当接面側端部よりも非肌当接面側に位置する前記＜１＞〜＜６＞いずれか１つに記載の吸収性物品。
＜８＞前記圧搾部の深さが液吸収層の厚みの２０％以上８０％以下である前記＜１＞〜＜７＞のいずれか１つに記載の吸収性物品。
＜９＞前記防漏層が透湿性のフィルムである前記＜１＞〜＜８＞いずれか１つに記載の吸収性物品。
＜１０＞前記液吸収層が吸収コアを含んでおり、前記溝の深さが該吸収コアの厚みの２０〜８０％である前記＜１＞〜＜９＞いずれか１つに記載の吸収性物品。
＜１１＞前記圧搾部は各前記小吸収部に複数配置されている前記＜１＞〜＜１０＞いずれか１つに記載の吸収性物品。
【００３７】
＜１２＞前記小吸収部の平面積が０．２５ｃｍ２以上２５ｃｍ２以下である前記＜１＞〜＜１１＞のいずれか１つに記載の吸収性物品。
＜１３＞前記圧搾部は小吸収部の非肌側面の平面積に対して当り１％以上７０％以下の開口面積で設けられている前記＜１＞〜＜１２＞いずれか１つに記載の吸収性物品。
＜１４＞前記表面層が、肌当接面側に第１層を有し、これに隣接する第２層を非肌当接面側に有し、前記第１層と前記第２層とが多数の接合部によって接合されており、多数の該接合部に囲まれて該第１層の肌当接面側に隆起する凸部が、該第１層側の肌当接面側に多数形成されており、前記凸部において、前記第２層は前記第１層の肌当接面側へ向けて隆起して該第１層内に入り込んでおり、前記凸部において、前記第２層の非肌当接面側の面が平坦である前記＜１＞〜＜１３＞いずれか１つに記載の吸収性物品。
＜１５＞前記液吸収層が吸収コアの肌当接面側と非肌当接面側をコアラップで覆ったものであり、前記圧搾部が非肌当接面側のコアラップを含んで形成されている前記＜１＞〜＜１４＞いずれか１つに記載の吸収性物品。
＜１６＞前記液吸収層は、排泄部対向領域が他の領域よりも厚みが大きい中高構造である、前記＜１＞〜＜１５＞いずれか１つに記載の吸収性物品。
【００３８】
＜１７＞前記圧搾部が、着用者の排泄部に対向する排泄部対向部に設けられている前記＜１＞〜＜１４＞のいずれか１つに記載の吸収性物品。
＜１８＞前記圧搾部が、全ての小吸収部に設けられている前記＜１＞〜＜１５＞のいずれか１つに記載の吸収性物品。
＜１９＞圧搾部の非肌側面の平面形状が、円形、楕円形、正方形又は三角形である、前記＜１＞〜＜１８＞のいずれか１つに記載の吸収性物品。
＜２０＞前記吸収性物品が生理用品又は失禁パッドである前記＜１＞〜＜１９＞いずれか１つに記載の吸収性物品。
【実施例】
【００３９】
以下、本発明を実施例により更に具体的に説明するが、本発明は斯かる実施例に限定されるものではない。
【００４０】
〔実施例１〕
図１に示す構成の生理用ナプキンを常法に従って製造し、これを実施例１のサンプルとした。表面層及びサイドシートとしては坪量２５ｇ／ｍ2のポリエチレン製エアスルー不織布を使用し、表面層には親水化処理を施して液透過性とした。防漏層として、坪量３０ｇ／ｍ2の非透湿ポリエチレン製フィルムを使用した。
液吸収層は、特開２０１２−１２５２７０の実施例に従って作製し、小吸収部（ブロック部分）の非肌当接面側から肌当接面に向かって、直径３ｍｍ、深さ０．７ｍｍの圧搾部（ピンエンボス）を設けた。液吸収層の寸法は、液吸収層の長さが２７５ｍｍ、液吸収層の幅が８０ｍｍ、液吸収層の厚みが２ｍｍであった。液吸収層の溝の幅は２ｍｍ、深さは１ｍｍであった。
また、液吸収層の小吸収部の密度は、０．１０ｇ／ｃｍ3であった。液吸収層の凹部吸収部の密度は、０．０５ｇ／ｃｍ3であった。液吸収層の小吸収部のパルプの坪量は１６０ｇ／ｍ2、吸水ポリマーの坪量は５０ｇ／ｍ2であり、液吸収層の凹部吸収部のパルプの坪量は８０ｇ／ｍ2、吸水ポリマーの坪量は２５ｇ／ｍ2であった。
【００４１】
[実施例２]
表面材として、特開２０１２−５７０１の実施例１記載の凹凸シートを用いる以外は実施例１と同様にして生理用ナプキンを作製した。
【００４２】
〔比較例１〕
液吸収層として、小吸収部に圧搾部を設けない液吸収層を実施例１と同様の寸法で作製した。
液吸収層のパルプの坪量は１６０ｇ／ｍ2、吸水ポリマーの坪量は５０ｇ／ｍ2であった。
【００４３】
〔比較例２〕
吸収体として、溝のない吸収体を実施例１と同様の寸法で作製した。これを積層したものと吸収体として用い、実施例１と同様にして生理用ナプキンを製造して得た。これを比較例のサンプルとした。
吸収体のパルプの坪量は１６０ｇ／ｍ2、吸水ポリマーの坪量は５０ｇ／ｍ2であった。
【００４４】
〔性能評価〕
＜表面液残り量＞
表層液戻り量の測定方法を以下に説明する。この表層液戻り量とは、液吸収層に吸収された液が加圧によってどれだけ表面層側へ戻るかを示したものである。この量が少ないほど、液吸収層の液保持性が高く、装着時のドライ感、低いムレ感が得られ易い。
まず生理用ナプキンを水平に置いた。この生理用ナプキン上に、底部に直径１ｃｍの注入口がついた円筒つきアクリル板を重ねて、サンプルの排泄部対向領域（サンプルの長手方向前端から４０ｍｍの位置）に注入口から粘度を８．０±０．１ｃＰに調整した３ｇの脱繊維馬血を注入した。注入後、その状態を１分間保持した。次に、円筒つきアクリル板を取り除き、表面シートの表面上に、縦６ｃｍ×横９．５ｃｍで坪量１３ｇ／ｍ2の予め質量を測定しておいた吸収紙（市販のティッシュペーパー）を載せた。更にその上に圧力が４．５×１０2Ｐａになるように錘を載せて５秒間加圧した。加圧後、吸収紙を取り出し、加圧前後の吸収紙の質量変化を測定し、吸収紙に吸収された脱繊維馬血の質量を表層液残り量とした。
次いで、試験後のサンプルに再び上記のアクリル板を重ね、１回目の注入から３分後に再び注入口から３ｇの脱繊維馬血を追加して注入した。生理用ナプキンへの馬血の注入位置は、最初の３ｇを注入した位置と同じとした。そして、注入後１分間その状態を保持したままにした後、アクリル板を取り除き、前回と同様にして２回目の表層液残り量を測定した。更に、２回目の注入から３分後、その測定方後のサンプルに、前記と同様にして、３ｇの脱繊維馬血を追加して注入し、前回と同様にして３回目の表面液残り量を測定した。また、各々の液注入の際、液を注入してから全ての液を吸収するまでの時間（液吸収時間）を測定した。
【００４５】
【表１】
2014110887.tif 000003
【００４６】
表１に示す結果から明らかなように、実施例１の生理用ナプキンは、表層液残り量が少なく、液の引き込み性に優れることがわかった。また、表面シートを特定のものとした実施例２においては、更に表層液残り量が少なくなった。このように各実施例の生理用ナプキンは、液の保持性に優れ、着用者の肌側の湿度を効果的に低減できることから、液量の多寡に係わらず、着用者に優れたドライ感を与えてより快適な着用感を提供することができる。
【符号の説明】
【００４７】
１  生理用ナプキン（吸収性物品）
２  表面層
３  液吸収層
３１  吸収コア
３２  コアラップシート
４  防漏層
５  サイドシート
６  連続層
７  離間部
７１  溝
７１ａ  長手方向溝
７１ｂ  幅方向溝
７２  凹部吸収部
８  小吸収部
８１  突出吸収部
１０  圧搾部
１１  空隙
【図１】
2014110887.tif 000004
【図２】
2014110887.tif 000005
【図３】
2014110887.tif 000006
【図４】
2014110887.tif 000007
【図５】
2014110887.tif 000008